(57)【要約】【課題】接続手段の長さを短くして装置のコンパクト化を達成できる速結端子装置を得る。【解決手段】鎖錠ばね部２２の可動部２２ｃにアース線Ｅの鎖錠部２２ａを形成し、その鎖錠ばね部２２に解除レバー２３の作動部２３ｂに係止して、その解除レバー２３の解除力Ｆを鎖錠部２２ａに作用させる係合部２２ｄを一体に設け、その係合部２２ｄを鎖錠部２２ａが設けられる可動部２２ｃに配置することにより、鎖錠部２２ａと係合部２２ｄとを可動部２２ｃにまとめて設けることができるため、鎖錠ばね部２２の短縮化が可能となり、ひいては、アースターミナル２０のコンパクト化を達成することができる。【選択図】図９
2007165264.tif 000002
【特許請求の範囲】
【請求項１】
接続しようとする電線に接触する端子板と、ばね力を利用して前記端子板との間で前記電線を挟持して抜止めする接続手段と、この接続手段による電線の抜止め状態を解除する解除手段と、を備え、
前記接続手段は、配線器具の器体への支持部から回動可能に延設する可動部に前記電線の鎖錠部を有するとともに、
前記解除手段は、前記器体の表面側に露出して手動操作される操作部と、この操作部に解除力を入力した時に前記ばね力に抗して前記鎖錠部を前記電線から引き離す方向に変位させる作動部と、を具備してなる速結端子装置において、
前記鎖錠部が設けられる前記可動部に、前記解除手段の作動部に係止してその解除手段の解除力を前記鎖錠部に作用させる係合部を、一体に設けたことを特徴とする速結端子装置。
【請求項２】
前記係合部を、前記接続手段の支持部に対して前記鎖錠部よりも離間した部位に設けたことを特徴とする請求項１に記載の速結端子装置。
【請求項３】
前記端子板は、前記電線に結合したＵ字状止め片を前記鎖錠部との共働で挟持するに十分な面積を有することを特徴とする請求項１または２に記載の速結端子装置。
【発明の詳細な説明】
【技術分野】
【０００１】
本発明は、電線の速結端子装置に関する。
【背景技術】
【０００２】
従来の速結端子装置は、例えば壁付コンセントのアースターミナルに適用され、外部アース線をコンセントの器体内に挿入して結合することにより内部アースに短絡させるようになっている。
【０００３】
具体的には、内部アースに短絡するアース端子板の面直方向に対向して、中間部分を器体に回動可能に支持した接続手段となる回動ばねを設け、この回動ばねの一端部にＵ字状に折曲したばね力発生部（基部）を形成して、その先端部を前記アース端子板の基端部に弾発力をもって当接させるとともに、前記回動ばねの可動部となった他端部に逆Ｕ字状に折曲した鎖錠部（押圧部）を形成し、その先端部が前記アース端子板に圧接するようになっている。
【０００４】
また、前記回動ばねのばね力発生部に対向して、解除手段となる操作レバー（蓋体）が回動可能に設けられており、当該操作レバーを回動させるとその基端部で前記ばね力発生部を押圧して、前記回動ばねは回動支点を中心に鎖錠部がアース端子板から離れる方向に回動するようになっており、その時に形成される押圧部とアース端子板との間の隙間にアース線を差し込み、前記蓋体を元に戻すと前記基部の弾発力で押圧部がアース端子板に圧接する方向に復帰して、それら押圧部とアース端子板との間にアース線を挟持して速結できるようになっている（例えば、特許文献１参照）。
【特許文献１】特開昭６１−３２９６４号公報（第２頁、第４図）
【発明の開示】
【発明が解決しようとする課題】
【０００５】
しかしながら、従来の速結端子装置では接続手段としての回動ばねは、その中間部分が回動支点となり、その一端側にばね力発生部を形成するとともに、他端側の可動部に鎖錠部を形成してあり、操作レバーの基端部が前記ばね力発生部に作用して、鎖錠部をアース端子板から離すようになっている。
【０００６】
このため、前記回動ばねは回動支点を境にして鎖錠部と操作レバーの解除力作用部（ばね力発生部）とが互いに反対側に配置されるため、必然的に回動ばねの長さが長くなってしまい、ひいては、速結端子装置が大型化してしまう。
【０００７】
そこで、本発明は、接続手段の長さを短くして装置のコンパクト化を達成することができる速結端子装置を得ることを目的とするものである。
【課題を解決するための手段】
【０００８】
請求項１の発明にあっては、接続しようとする電線に接触する端子板と、ばね力を利用して上記端子板との間で上記電線を挟持して抜止めする接続手段と、この接続手段による電線の抜止め状態を解除する解除手段と、を備え、上記接続手段は、配線器具の器体への支持部から回動可能に延設する可動部に上記電線の鎖錠部を有するとともに、上記解除手段は、上記器体の表面側に露出して手動操作される操作部と、この操作部に解除力を入力した時に上記ばね力に抗して上記鎖錠部を上記電線から引き離す方向に変位させる作動部と、を具備してなる速結端子装置において、上記鎖錠部が設けられる上記可動部に、上記解除手段の作動部に係止してその解除手段の解除力を上記鎖錠部に作用させる係合部を、一体に設けたことを特徴とする。
【０００９】
請求項２の発明にあっては、上記接続手段の支持部に対して上記鎖錠部よりも離間した部位に設けたことを特徴とする。
【００１０】
請求項３の発明にあっては、上記端子板は、上記電線に結合したＵ字状止め片を上記鎖錠部との共働で挟持するに十分な面積を有することを特徴とする。
【発明の効果】
【００１１】
請求項１の発明によれば、解除手段の作動部を係止する係合部を、鎖錠部を設けた可動部に配置したので、それら鎖錠部と係合部とを可動部にまとめて設けることができ、以て、接続手段の短縮化が可能となり、ひいては、速結端子装置のコンパクト化を達成することができる。
【００１２】
請求項２の発明によれば、上記効果に加えて、上記係合部を接続手段の支持部に対して上記鎖錠部よりも離間した部位に設けたので、上記支持部から鎖錠部までの距離よりもその支持部から係合部までの距離が長くなるので、接続手段に解除手段の解除力を作用させた際のモーメントを大きくすることができるため、解除手段の操作力を減少させることができる。
【００１３】
請求項３の発明によれば、上記効果に加えて、所要の面積を有する端子板によって鎖錠部との共働で電線のＵ字状止め片を挟持できるため、電線の結線部分が裸状態若しくは上記Ｕ字状止め片が結合された状態のいずれの場合にも、そのＵ字状止め片をわざわざ取り外すことなく結線することができる。
【発明を実施するための最良の形態】
【００１４】
以下、本発明の実施形態について図面を参照しつつ詳細に説明する。
【００１５】
（第１実施形態）図１〜図９は本発明にかかる速結端子装置の第１実施形態を示し、図１は、アースターミナル付き埋込式コンセントの斜視図であり、図２は、コンセントのアースターミナル収納部分の外観を示す要部拡大斜視図、図３は、アースターミナル収納部分のアース扉を取り外した状態を示す要部拡大斜視図、図４は、アースターミナル収納部分のボディ側をカバーを分離して示す分解斜視図、図５は、アースターミナルの組み付け状態を示す斜視図である。
【００１６】
また、図６は、端子板および鎖錠ばね部を示す斜視図、図７は、アースターミナルに設けられる操作レバーの斜視図、図８は、アースターミナルの操作レバーと端子板との関係を示す斜視図であり、図９は、アースターミナルによる結線を（ａ）〜（ｄ）に順を追って示す要部を断面した斜視図である。なお、以下では、速結端子装置が、図１に示す配線器具としての壁面への埋込式コンセント（以下、コンセントと称する）１に設けたアースターミナル２０に構成される場合を例示する。
【００１７】
コンセント１は、合成樹脂製のボディ２（図２参照）とカバー３とを金属製の組立枠４により結合して全体的に直方体状に構成される器体５を備え、組立枠４は、壁面に形成された埋込ボックス等にコンセント１を取り付けるための取付枠を兼ねている。
【００１８】
カバー３には、一対の栓刃差込口６ａ，６ｂと接地極栓刃差込口６ｃとからなる１組のプラグ差込口６が、コンセント１の長さ方向に２組並設される。また、器体５の一端側（図１中下部）にはアースターミナル２０を収納する収納部５ａが形成される。
【００１９】
収納部５ａのカバー３に形成される開口部５ｂには、図２に示すように、アース扉７が脱着自在若しくは開閉自在に取り付けられ、そのアース扉７を開放すると、図３に示すように、外部アースとなるアース線Ｅ（図９参照）を挿入するアース線挿入孔８が現れる。アース線挿入孔８は、図４に示すように、カバー３の底面３ａに器体５の両側方向に一対形成される。
【００２０】
アースターミナル２０は、図５に示すように、アース線挿入孔８を通して器体５に導入されるアース線Ｅに接触する端子板２１と、ばね力を利用して端子板２１との間でアース線Ｅを挟持するとともに鎖錠部２２ａがそのアース線Ｅに当接して抜止めする接続手段としての鎖錠ばね部２２と、この鎖錠ばね部２２によるアース線Ｅの抜止め状態を解除する解除手段としての解除レバー２３と、を備えて構成される。このとき、端子板２１、鎖錠ばね部２２および解除レバー２３はそれぞれが対応するように器体５の両側方向に一対配置される。
【００２１】
器体５の内部には、２つの接地極栓刃差込口６ｃに対応して器体５に内蔵された２つの接地刃受けに繋がる接地刃受けブロック２１ａが固定され、その接地刃受けブロック２１ａの両側をカバー３側（図中上方）に折曲して立ち上げることにより、端子板２１が形成される。このとき、端子板２１は、図６に示すように、接地刃受けブロック２１ａから折曲した起立面２１ｂと、この起立面２１ｂから器体５の側方に向かって略直角に折曲して鎖錠部２２ａに対向する挟持面２１ｃと、によって断面Ｌ字状に形成される。尚、図６は、便宜上、図２〜図５とは左右逆向きに示されており、以下の図７〜図９にあっても図６と同様に左右逆向きに示されている。
【００２２】
鎖錠ばね部２２は、図６に示すように、起立面２１ｂの先端部から延設して挟持面２１ｃ方向に向かって折曲形成される。このとき、接地刃受けブロック２１ａは器体５側に固定されており、この接地刃受けブロック２１ａから折曲した起立面２１ｂも結果的に器体５側に固定されることになり、鎖錠ばね部２２は起立面２１ｂから延設する部分が支持部２２ｂとなって、その支持部２２ｂから挟持面２１ｃ方向に向かってカバー３とは反対側（図中下方）に傾斜するように延設されて可動部２２ｃとなり、その可動部２２ｃの先端が鎖錠部２２ａとなっている。
【００２３】
鎖錠ばね部２２は、支持部２２ｂを中心としてその鎖錠ばね部２２の傾斜量が小さくなる方向（図中上方）に回動付勢され、鎖錠部２２ａが挟持面２１ｃに弾発的に当接若しくは近接するようになっている。
【００２４】
解除レバー２３は、図７に示すように、操作部２３ａと作動部２３ｂとによって略Ｌ字状に形成され、その作動部２３ｂの操作部２３ａ側端部の両側から軸部２３ｃが突設される。
【００２５】
操作部２３ａの先端部は、図３〜図５に示すように、カバー３の底面３ａに形成した細長い矩形状の開口部９を貫通して器体５の表面側に露出している。また、軸部２３ｃは、図４に示すように、開口部９の両側に形成されてボディ２側（図中下方）に開放する半円状の凹部１０と、ボディ２の上面２ａに形成されてカバー３側（図中上方）に開放する半円状の凹部１０ａと、の間に回動自在に挟まれて支持される。
【００２６】
鎖錠ばね部２２の可動部２２ｃの先端部には、図８に示すように、鎖錠部２２ａの側方に端子板２１の挟持面２１ｃの側辺を通って更に突出し、解除レバー２３の作動部２３ｂが係止される係合部２２ｄを一体に設けてある。
【００２７】
このとき、係合部２２ｄは、鎖錠ばね部２２の支持部２２ｂに対して鎖錠部２２ａよりも離間した部位に設けられている。
【００２８】
そして、解除レバー２３の操作部２３ａを、軸部２３ｃを中心として図９（ａ）の状態から図９（ｂ）に示すように回動させることにより、作動部２３ｂが係合部２２ｄをボディ２方向（図中下方）に押圧して、鎖錠部２２ａが挟持面２１ｃから離れる方向に鎖錠ばね部２２を押し下げるようになっている。
【００２９】
したがって、本実施形態のアースターミナル２０にアース線Ｅを結線するには、まず、図３に示すように、アース扉７を開放してアース線挿入孔８および解除レバー２３の操作部２３ａを露出させる。そして、図９（ａ）に示す初期状態から図９（ｂ）に示すように操作部２３ａに手や工具で解除力Ｆを作用させて、解除レバー２３を図中反時計回り方向に回動すると、解除レバー２３の作動部２３ｂから係合部２２ｄに押圧力ｆが入力されて、鎖錠ばね部２２は支持部２２ｂを中心として図中下方に撓み変形して、鎖錠部２２ａと挟持面２１ｃとの間に所定の隙間δ１が形成される。
【００３０】
この状態で、図９（ｃ）に示すようにアース線Ｅをアース線挿入孔８から隙間δ１部分まで挿入し、そして、解除レバー２３の操作部２３ａから解除力Ｆを除去することにより、鎖錠ばね部２２は自身のばね力により解除レバー２３を図中時計回り方向に回動しつつ、図９（ｄ）に示すようにアース線Ｅを鎖錠部２２ａと挟持面２１ｃとの間に挟持し、この状態でアース線Ｅは抜け止めされて結線が完了する。
【００３１】
以上の構成により、本実施形態のアースターミナル２０によれば、解除レバー２３の作動部２３ｂを係止する鎖錠ばね部２２の係合部２２ｄを、鎖錠部２２ａを設けた可動部２２ｃに配置したので、それら鎖錠部２２ａと係合部２２ｄとを可動部２２ｃにまとめて設けることができるため、鎖錠ばね部２２の短縮化が可能となり、ひいては、アースターミナル２０のコンパクト化を達成することができる。
【００３２】
また、係合部２２ｄを、鎖錠ばね部２２の支持部２２ｂに対して鎖錠部２２ａよりも離間した部位に設けたので、支持部２２ｂから鎖錠部２２ａまでの距離Ｌ１よりもその支持部２２ｂから係合部２２ｄまでの距離Ｌ２を長くできるので、解除レバー２３に解除力Ｆを作用させた際に、鎖錠ばね部２２に入力するモーメントをより大きくすることができ、ひいては、解除レバー２３の操作力を減少させることができる。
【００３３】
（第２実施形態）図１０，図１１は本発明の第２実施形態を示しており、第１実施形態と同一構成部分に同一符号を付して重複する説明を省略して述べるものとする。図１０は、アースターミナルの操作レバーと端子板との関係を示す斜視図、図１１は、アースターミナルによる結線を（ａ）〜（ｄ）に順を追って示す要部を断面した斜視図である。
【００３４】
本実施形態にかかるアースターミナル２０Ａは、基本的に第１実施形態のアースターミナル２０と略同様の構成を備えており、すなわち、端子板１２１、鎖錠ばね部１２２および解除レバー１２３を備えている。
【００３５】
ただし、本実施形態では、端子板１２１は、接地刃受けブロック２１ａ（図５参照）から折曲した起立面１２１ａの両側に、挟持面１２１ｂと鎖錠ばね部１２２とが所定間隔をもって対峙しており、その鎖錠ばね部１２２は、上端部を支持部１２２ａとして起立面１２１ａに連結するとともに、その支持部１２２ａよりも下方部分が可動部１２２ｂとなって挟持面１２１ｂ方向に傾斜し、その可動部１２２ｂの先端が鎖錠部１２２ｃとなっている。
【００３６】
一方、解除レバー１２３は、第１実施形態と同様に操作部１２３ａおよび作動部１２３ｂによって略Ｌ字状に形成されるとともに、それら操作部１２３ａと作動部１２３ｂとの連結部に軸部１２３ｃが設けられる。
【００３７】
そして、鎖錠ばね部１２２の可動部１２２ｂに解除レバー１２３の作動部１２３ｂが係止する係合部１２２ｄが設けられるが、この係合部１２２ｄは可動部１２２ｂの中央部分を鎖錠部１２２ｃから離れる方向に切り起こして、挟持面１２１ｂとは反対方向に突設し、その係合部１２２ｄを作動部１２３ｂの上側に係止してある。
【００３８】
したがって、本実施形態のアースターミナル２０Ａにアース線Ｅを結線するには、まず、図１１（ａ）に示す初期状態から図９（ｂ）に示すように解除レバー１２３の操作部１２３ａに手や工具で解除力Ｆ（この解除力Ｆの作用方向は第１実施形態とは逆となる）を作用させ、解除レバー１２３を図中時計回り方向に回動させる。すると、解除レバー１２３の作動部１２３ｂから係合部１２２ｄに押圧力ｆが入力されて、鎖錠ばね部１２２は支持部１２２ａを中心として挟持面１２１ｂから離れる方向に引っ張り上げられ、鎖錠部１２２ｃと挟持面１２１ｂとの間に所定の隙間δ２が形成される。
【００３９】
この状態で、図１１（ｃ）に示すようにアース線Ｅをアース線挿入孔８から隙間δ２部分まで挿入し、そして、解除レバー１２３の操作部１２３ａから解除力Ｆを除去することにより、鎖錠ばね部１２２は自身のばね力により解除レバー１２３を図中時計回り方向に回動しつつ、図１１（ｄ）に示すようにアース線Ｅを鎖錠部１２２ｃと挟持面１２１ｂとの間に挟持し、この状態でアース線Ｅは抜け止めされて結線が完了する。
【００４０】
以上の構成により、本実施形態のアースターミナル２０Ａによれば、第１実施形態と同様に、解除レバー１２３の作動部１２３ｂを係止する係合部１２２ｄを、鎖錠部１２２ｃを設けた可動部１２２ｂに配置したので、それら鎖錠部１２２ｃと係合部１２２ｄとを可動部１２２ｂにまとめて設けることができるため、鎖錠ばね部１２２の短縮化が可能となり、ひいては、アースターミナル２０Ａのコンパクト化を達成することができる。
【００４１】
もちろん、本実施形態にあっても、係合部１２２ｄを更に延長して、支持部１２２ａと鎖錠部１２２ｃとの間の距離Ｌ１′よりも支持部１２２ａと係合部１２２ｄの作動部１２３ｂが係止する位置との間の距離Ｌ２′を長くすることによって、解除レバー２３に作用させる解除力Ｆに対して鎖錠ばね部２２に入力するモーメントをより大きくすることができ、ひいては、解除レバー２３の操作力を減少させることができる。
【００４２】
（第３実施形態）図１２〜図１４は本発明の第３実施形態を示しており、第１実施形態と同一構成部分に同一符号を付して重複する説明を省略して述べるものとする。図１２は、解除レバーを分離したアースターミナルの斜視図、図１３は、アースターミナルの側面図、図１４は、結線しようとする各種アース線を（ａ），（ｂ）にそれぞれ示す説明図である。
【００４３】
本実施形態のアースターミナル２０Ｂは、基本的に第１実施形態のアースターミナル２０と略同様の構成となり、すなわち、図１２，図１３に示すように、端子板２２１、鎖錠ばね部２２２および解除手段としての解除ボタン２２３を備えている。
【００４４】
ただし、本実施形態では端子板２２１は、接地刃受けブロック２１ａから平面状に起立させるとともに、鎖錠ばね部２２２も端子板２２１に対向するように接地刃受けブロック２１ａから起立させてあり、その鎖錠ばね部２２２は中間部分の屈曲部２２２ａから端子板２２１方向に折曲するとともに、その折曲した先端部が可動部２２２ｂとなって端子板２２１方向に傾斜し、その可動部２２ｃの先端が鎖錠部２２２ｃとなっている。
【００４５】
また、解除ボタン２２３は、図１２に示すように、端子板２２１の外側面に沿って上下移動する操作部２２３ａと、その操作部２２３ａの両側から鎖錠ばね部２２２方向に突出する一対の作動部２２３ｂと、を備えて構成され、そして、一対の作動部２２３ｂが端子板２２１の両側を挟むようにして端子板２２１に上下移動自在に配置してある。
【００４６】
このとき、鎖錠ばね部２２２の可動部２２２ｂの先端部分を両側方向に突出させて一対の係合部２２２ｄを設け、それら係合部２２２ｄに解除ボタン２２３の作動部２２３ｂを接触させてあり、解除ボタン２２３の操作部２２３ａに押し下げ方向の解除力Ｆを作用させることにより、鎖錠部２２２ｃを端子板２２１から離すことができるようになっている。
【００４７】
ここで、本実施形態では、図１４（ｂ）に示すように、アース線Ｅにねじ止め用のＵ字状止め片Ｋを結合してある場合に、端子板２２１を、Ｕ字状止め片Ｋを鎖錠部２２２ｃとの共働で挟持するに十分な面積を有している。
【００４８】
以上の構成により、本実施形態のアースターミナル２０Ｂによれば、係合部２２２ｄを鎖錠ばね部２２２の可動部２２２ｂに設けたので、第１実施形態と同様に鎖錠部２２２ｃと係合部２２２ｄとを可動部２２２ｂにまとめて設けることができるため、鎖錠ばね部２２２の短縮化が可能となり、ひいては、アースターミナル２０Ｂのコンパクト化を達成することができる。
【００４９】
また、本実施形態では、端子板２２１に所要の面積で形成したので、その端子板２２１と鎖錠部２２２ｃとの間にアース線ＥのＵ字状止め片Ｋを挟持できるため、アース線Ｅの結線部分が裸状態若しくはＵ字状止め片Ｋが結合された状態のいずれの場合にも、そのＵ字状止め片Ｋをわざわざ取り外すことなく結線することができる。
【００５０】
このとき、端子板２２１には、図１５に示すように、端子板２２１にアース線Ｅの挿入方向に延びるとともに、そのアース線Ｅの直径よりも浅い凹溝２２１ａを形成しておくことが望ましい。
【００５１】
このように、端子板２２１に凹溝２２１ａを形成しておくことにより、アース線Ｅを裸状態で結線する場合に、そのアース線Ｅを凹溝２２１ａに嵌めることにより、そのアース線Ｅを端子板２２１と鎖錠部２２２ｃとの間に安定的に挟持できる。
【００５２】
ところで、本発明の速結端子装置を各実施形態に例をとって説明したが、本発明はこれら実施形態に限られるものではなく、要旨を逸脱しない範囲で他の実施形態を各種採用することができる。例えば、速結端子装置は、コンセントのアースターミナルに限ることなくスイッチ等の他の配線器具に対しても適用することができる。
【図面の簡単な説明】
【００５３】
【図１】本発明の第１実施形態におけるアースターミナル付き埋込式コンセントの斜視図である。
【図２】本発明の第１実施形態におけるコンセントのアースターミナル収納部分の外観を示す要部拡大斜視図である。
【図３】本発明の第１実施形態におけるアースターミナル収納部分のアース扉を取り外した状態を示す要部拡大斜視図である。
【図４】本発明の第１実施形態におけるアースターミナル収納部分のボディ側をカバーを分離して示す分解斜視図である。
【図５】本発明の第１実施形態におけるアースターミナルの組み付け状態を示す斜視図である。
【図６】本発明の第１実施形態における端子板および鎖錠ばね部を示す斜視図である。
【図７】本発明の第１実施形態におけるアースターミナルに設けられる操作レバーの斜視図である。
【図８】本発明の第１実施形態におけるアースターミナルの操作レバーと端子板との関係を示す斜視図である。
【図９】本発明の第１実施形態におけるアースターミナルによる結線を（ａ）〜（ｄ）に順を追って示す要部を断面した斜視図である。
【図１０】本発明の第２実施形態におけるアースターミナルの操作レバーと端子板との関係を示す斜視図である。
【図１１】本発明の第２実施形態におけるアースターミナルによる結線を（ａ）〜（ｄ）に順を追って示す要部を断面した斜視図。
【図１２】本発明の第３実施形態における解除レバーを分離したアースターミナルの斜視図である。
【図１３】本発明の第３実施形態におけるアースターミナルの側面図である。
【図１４】本発明の第３実施形態における結線しようとする各種アース線を（ａ），（ｂ）にそれぞれ示す説明図である。
【図１５】本発明の第３実施形態の変形例を示す端子板の斜視図である。
【符号の説明】
【００５４】
１  埋込式コンセント（配線器具）
５  器体
２０，２０Ａ，２０Ｂ  アースターミナル（速結端子装置）
２１，１２１，２２１  端子板
２２，１２２，２２２  鎖錠ばね部（接続手段）
２２ａ，１２２ｃ，２２２ｃ  鎖錠部
２２ｂ，１２２ａ  支持部
２２ｃ，１２２ｂ，２２２ｂ  可動部
２２ｄ，１２２ｄ  係合部
２３，１２３  解除レバー（解除手段）
２３ａ，１２３ａ，２２３ａ  操作部
２３ｂ，１２３ｂ，２２３ｂ  作動部
２２３  解除ボタン（解除手段）
Ｅ  アース線（電線）
Ｋ  Ｕ字状止め片
【図１】
2007165264.tif 000003
【図２】
2007165264.tif 000004
【図３】
2007165264.tif 000005
【図４】
2007165264.tif 000006
【図５】
2007165264.tif 000007
【図６】
2007165264.tif 000008
【図７】
2007165264.tif 000009
【図８】
2007165264.tif 000010
【図９】
2007165264.tif 000011
【図１０】
2007165264.tif 000012
【図１１】
2007165264.tif 000013
【図１２】
2007165264.tif 000014
【図１３】
2007165264.tif 000015
【図１４】
2007165264.tif 000016
【図１５】
2007165264.tif 000017